(57)【特許請求の範囲】
【請求項１】
機器本体の開口部を覆う扉を、前記機器本体及び前記扉の左右端に対称に配された一対のカム機構によって左右から択一的に開閉する両開きの扉開閉機構において、
前記扉の枢支軸を形成する左右のヒンジピンを一体に保持するヒンジアングルと、
前記開口部の上方の前面にネジ止めされる第１取付部と第１取付部から前方に突出する第１突出部とを有し、第１突出部の上面に設置した前記ヒンジアングルを上方からネジ止めする第１支持部材と、
第１突出部の左右方向の外側に配されるとともに、前記開口部の上方の前面にネジ止めされる第２取付部と第２取付部から前方に突出する第２突出部とを有し、第２突出部の下面に当接する前記ヒンジアングルを第２突出部にネジ止めする第２支持部材と、
前記扉の上面の左右端にそれぞれ配されて前記ヒンジピンに係合して前記扉を案内する溝カムと、
を備えたことを特徴とする扉開閉機構。
【請求項２】
前記溝カムが形成されるカム形成部材を前記扉の上面にネジ止めしたことを特徴とする請求項１に記載の扉開閉機構。
【請求項３】
前記扉の上面と前記カム形成部材との間にスペーサを配したことを特徴とする請求項２に記載の扉開閉機構。
【請求項４】
第１突出部と前記ヒンジアングルとの間にスペーサを配したことを特徴とする請求項１または請求項２に記載の扉開閉機構。
【請求項５】
第１取付部は、第２取付部の背後を通って第２支持部材の外側に延びる延設部と、前記延接部の端部から前方に突出して前記ヒンジアングルに近接して対向する対向部とを有した平面視Ｌ字型に形成されることを特徴とする請求項１〜請求項４のいずれかに記載の扉開閉機構。
【請求項６】
前記扉を開いた際に前記溝カムを覆うとともに前記扉を閉じた際に前記溝カムから退避する溝カムシャッターを設けたことを特徴とする請求項１〜請求項５のいずれかに記載の扉開閉機構。
【請求項７】
請求項１〜請求項６のいずれかに記載の扉開閉機構を備えたことを特徴とする冷蔵庫。
【発明の詳細な説明】
【技術分野】
【０００１】
本発明は、扉を二方向から択一的に開閉する両開きの扉開閉機構及びそれを備えた冷蔵庫に関する。
【背景技術】
【０００２】
従来の扉開閉機構は特許文献１及び特許文献２に開示されている。この扉開閉機構は機器本体及び扉の左右端に対称に配された一対のカム機構を備え、左右端から択一的に扉を開閉する両開きに構成される。カム機構は機器本体に扉の枢支軸を形成するヒンジピンが設けられ、扉にはヒンジピンを係合案内する溝カムが設けられる。
【０００３】
溝カムは連続する第１溝部及び第２溝部から成っている。第１溝部は一端を開放して枢支軸に垂直な面内で傾斜して形成される。第２溝部は第１溝部の他端に連続し、第１溝部の開放端から離れる方向に延びる。また、機器本体にはヒンジピンと同軸の円筒面から成る案内面を有するリブが設けられる。扉にはリブの案内面に摺動する円筒面を有したボスが設けられる。
【０００４】
扉を閉じた状態では両方のカム機構は第１溝部と第２溝部との連結部分にヒンジピンを配した第１係止位置をとる。扉の一方を開くと該一方のヒンジピンは第１溝部内を開放端に向けて相対移動する。この時、第１溝部が傾斜するとともに両ヒンジピン間の距離が一定のため、他方のヒンジピンは第１溝部から離れる方向に第２溝部内を相対移動する。
【０００５】
そして、一方のカム機構のヒンジピンが溝カムとの係合を解除され、他方のカム機構はヒンジピンが第２溝部の端部に配された第２係止位置をとる。この時、ボスがリブに内接してリブの案内面に摺動する。カム機構は第２係止位置でヒンジピンを回転自在に支持するとともにリブとボスとの摺接によってヒンジピンのスライドが規制され、ヒンジピンを枢支軸として扉を回動することができる。
【０００６】
尚、カム機構は左右対称に配されるため、同様の動作によって扉を他方から開くことができる。
【０００７】
上方に配される左右のヒンジピンは左右に分割したヒンジピン形成部材上にインサート成形等によりそれぞれ形成される。機器本体の上面には天井プレートがネジ止めされ、左右のヒンジピン形成部材は天井プレートにネジ止めされる。下方に配される左右のヒンジピンは断面Ｌ字型のヒンジアングル上に一体に形成される。また、溝カムは扉の上下面にネジ止めされるカム形成部材に形成される。
【０００８】
扉の取付け時には、まず、下方のヒンジアングルが開口部の下方の前面にネジ止めされる。次に、下方のヒンジピンに扉の下面の溝カムを係合し、扉が所定の隙間を有してヒンジアングル上に設置される。次に、扉の上面の溝カムにヒンジピンを係合し、天井プレートまたはヒンジピン形成部材を前後方向及び左右方向に位置調整する。そして、天井プレート及びヒンジピン形成部材がネジ止めされる。
【０００９】
この時、扉とヒンジピン形成部材の下面との隙間が所定値よりも小さい場合は天井プレートと機器本体の上面との間にスペーサを挟んで天井プレートがネジ止めされる。また、扉とヒンジピン形成部材との隙間が所定値よりも大きい場合はカム形成部材と扉の上面との間にスペーサを挟んでカム形成部材がネジ止めされる。これにより、上下のヒンジピンの距離と上下の溝カムの距離とを所定の範囲に維持し、円滑に扉を案内することができる。
【先行技術文献】
【特許文献】
【００１０】
【特許文献１】特開２００６−１３２８３８号公報（第５頁−第７頁、第１図）
【特許文献２】特開２００１−１５９２６８号公報（第５頁−第７頁、第１図）
【発明の概要】
【発明が解決しようとする課題】
【００１１】
機器本体の下部に設けた開口部を開閉する両開きの扉開閉機構は、上記と同様のカム機構を扉の左右端に設けて構成することができる。この時、扉の上面の溝カムに係合するヒンジピンをヒンジピン形成部材に設け、機器本体の前面に取り付けられる断面Ｌ字型の支持部材によりヒンジピン形成部材を支持することができる。
【００１２】
しかしながら、支持部材が機器本体の鉛直な前面に取付けられるため、前後方向の位置調整が困難になる。このため、支持部材に対してヒンジピン形成部材を前後方向に位置調整する必要がある。また、上下方向の位置調整のために支持部材と機器本体との間にスペーサを挟むことができない。従って、ヒンジピン形成部材を前後方向に位置調整しながら支持部材を上下方向に移動させる必要があり、組立が非常に困難で製造工数が大きくなる問題があった。
【００１３】
本発明は、製造工数を削減できる扉開閉機構及びそれを備えた冷蔵庫を提供することを目的とする。
【課題を解決するための手段】
【００１４】
上記目的を達成するために本発明は、機器本体の開口部を覆う扉を、前記機器本体及び前記扉の左右端に対称に配された一対のカム機構によって左右から択一的に開閉する両開きの扉開閉機構において、
前記扉の枢支軸を形成する左右のヒンジピンを一体に保持するヒンジアングルと、
前記開口部の上方の前面にネジ止めされる第１取付部と第１取付部から前方に突出する第１突出部とを有し、第１突出部の上面に設置した前記ヒンジアングルを上方からネジ止めする第１支持部材と、
第１突出部の左右方向の外側に配されるとともに、前記開口部の上方の前面にネジ止めされる第２取付部と第２取付部から前方に突出する第２突出部とを有し、第２突出部の下面に当接する前記ヒンジアングルを第２突出部にネジ止めする第２支持部材と、
前記扉の上面の左右端にそれぞれ配されて前記ヒンジピンに係合して前記扉を案内する溝カムと、
を備えたことを特徴としている。
【００１５】
この構成によると、扉の左右端に設けた一対のカム機構のヒンジピンと溝カムとの係脱によって扉が二方向から択一的に開閉される。扉の上方に配される左右のヒンジピンはヒンジアングルにより一体に保持される。第１支持部材は開口部の上方の前面に第１取付部をネジ止めして機器本体に取り付けられる。ヒンジアングルは第１支持部材の第１突出部上に設置され、左右方向及び前後方向を位置調整して第１突出部にネジ止めされる。この時、扉の上面とヒンジアングルの下面との隙間が所定値よりも小さい場合は第１突出部とヒンジアングルとの間にスペーサを挟んでヒンジアングルがネジ止めされる。第２支持部材は第１突出部よりも外側のヒンジピンに近い位置に配置され、第２突出部がヒンジアングルの上面に当接する。そして、第２取付部が開口部の下方の前面にネジ止めされ、第２突出部とヒンジアングルとがネジ止めされる。第２支持部材により溝カムに異物が侵入した場合等のヒンジピンの軸方向の移動が抑制される。
【００１６】
また本発明は、上記構成の扉開閉機構において、前記溝カムが形成されるカム形成部材を前記扉の上面にネジ止めしたことを特徴としている。この構成によると、扉の上面とヒンジアングルの下面との隙間が所定値よりも大きい場合は扉の上面とカム形成部材との間にスペーサを挟んでカム形成部材がネジ止めされる。
【００１７】
また本発明は、上記構成の扉開閉機構において、前記扉の上面と前記カム形成部材との間にスペーサを配したことを特徴としている。
【００１８】
また本発明は、上記構成の扉開閉機構において、第１突出部と前記ヒンジアングルとの間にスペーサを配したことを特徴としている。
【００１９】
また本発明は、上記構成の扉開閉機構において、第１取付部は、第２取付部の背後を通って第２支持部材の外側に延びる延設部と、前記延接部の端部から前方に突出して前記ヒンジアングルに近接して対向する対向部とを有した平面視Ｌ字型に形成されることを特徴としている。
【００２０】
この構成によると、第１取付部の延設部は第２取付部の背後を機器本体の前面に沿って外側に延びる。第１取付部の対向部は延設部の端部から前方に突出し、第１取付部が延設部及び対向部によって平面視Ｌ字型に形成される。対向部は第２支持部材の外側のヒンジピンに近い位置に配され、ヒンジピンが上昇した際にヒンジアングルに当接してヒンジピンの上昇を規制する。
【００２１】
また本発明は、上記構成の扉開閉機構において、前記扉を開いた際に前記溝カムを覆うとともに前記扉を閉じた際に前記溝カムから退避する溝カムシャッターを設けたことを特徴としている。
【００２２】
この構成によると、扉が閉じられると溝カムシャッターが溝カムから退避し、両方のカム機構のヒンジピンと溝カムとが係合して扉を閉じた状態が保持される。扉を一方から開くと該一方のヒンジピンが溝カムから離脱する。この時、溝カムシャッターによって溝カムが覆われる。
【００２３】
また本発明の冷蔵庫は、上記各構成の扉開閉機構を備えたことを特徴としている。
【発明の効果】
【００２４】
本発明によると、第１支持部材の第１取付部が開口部の上方の前面にネジ止めされ、第１取付部から前方に突出する第１突出部の上面に設置したヒンジアングルを上方からネジ止めするので、ヒンジアングルを第１突出部上で左右方向及び前後方向に移動させて容易に位置調整して固定することができる。この時、第１突出部とヒンジアングルとの間にスペーサを挟むことでヒンジアングルを容易に上下方向に位置調整することができる。従って、扉開閉機構の製造工数を削減することができる。
【００２５】
また、第１突出部の外側に配した第２支持部材の第２突出部の下面にヒンジアングルが当接して第２支持部材及びヒンジアングルがネジ止めされるので、第２支持部材を容易に取り付けできるとともに、ヒンジピン近傍でヒンジアングルを補強することができる。従って、溝カムに異物が侵入した場合等のヒンジピンの軸方向の移動を抑制することができる。
【図面の簡単な説明】
【００２６】
【図１】本発明の実施形態の冷蔵庫を示す正面図
【図２】本発明の実施形態の冷蔵庫の本体部を示す正面図
【図３】本発明の実施形態の冷蔵庫の冷凍室の上方のヒンジアングルの取付け状態を示す正面図
【図４】本発明の実施形態の冷蔵庫の冷凍室の上方のヒンジアングルの取付け状態を示す上面図
【図５】本発明の実施形態の冷蔵庫の冷凍室の上方のヒンジアングルの取付け状態を示す側面図
【図６】図４のＢ−Ｂ断面図
【図７】図４のＣ−Ｃ断面図
【図８】図４のＤ−Ｄ断面図
【図９】本発明の実施形態の冷蔵庫の冷凍室扉の上方のカム機構を示す上面図
【図１０】図９のＡ−Ａ断面図
【図１１】本発明の実施形態の冷蔵庫の冷凍室扉を右側から開いた状態を説明する上面図
【図１２】本発明の実施形態の冷蔵庫の冷凍室扉を右側から開いた状態を説明する上面図
【図１３】本発明の実施形態の冷蔵庫の冷凍室扉を右側から開いた状態を説明する上面図
【発明を実施するための形態】
【００２７】
以下に本発明の実施形態を図面を参照して説明する。図１は一実施形態の扉開閉機構を備えた冷蔵庫を示す正面図である。冷蔵庫１は断熱箱体から成る本体部２（機器本体）の上部に冷蔵室５が形成され、下部に冷凍室６が形成される。冷蔵室５の前面の開口部５ａ（図２参照）は冷蔵室扉３により開閉される。冷凍室６の前面の開口部６ａ（図２参照）は冷凍室扉４により開閉される。冷蔵室扉３は左右端にハンドル３ａ、３ｂを有し、左右の二方向から択一的に開閉することができる。冷凍室扉４は左右端にハンドル４ａ、４ｂを有し、左右の二方向から択一的に開閉することができる。
【００２８】
図２は冷蔵庫１の本体部２を示す正面図である。本体部２の上面には左右方向に延びる天井プレート７が配される。天井プレート７の左右端にはそれぞれヒンジピン形成部材８が配される。ヒンジピン形成部材８はインサート成形等により金属製のヒンジピン２１が一体に形成される。
【００２９】
開口部５ａの下方の前面には左右方向に延びる断面Ｌ字型のヒンジアングル９が配される。ヒンジアングル９の左右端にはインサート成形等により金属製のヒンジピン２１が一体に形成される。天井プレート７及びヒンジアングル９に設けられたヒンジピン２１によって冷蔵室扉３（図１参照）の枢支軸が形成される。
【００３０】
開口部６ａの上方の前面には左右方向に延びるヒンジアングル１０が配される。ヒンジアングル１０の左右端にはインサート成形等により金属製のヒンジピン２１が一体に形成される。また、ヒンジアングル１０は左右に分離してそれぞれ設けられる第１支持部材５０及び第２支持部材６０により支持される。
【００３１】
開口部６ａの下方の前面には左右方向に延びる断面Ｌ字型のヒンジアングル１１が配される。ヒンジアングル１１の左右端にはインサート成形等により金属製のヒンジピン２１が一体に形成される。ヒンジアングル１０、１１に設けられたヒンジピン２１によって冷凍室扉４（図１参照）の枢支軸が形成される。
【００３２】
冷蔵室扉３の上下面及び冷凍室扉４の上下面にはヒンジピン２１に係合する溝カム３１（図１０参照）を有したカム形成部材３０（図１０参照）が取り付けられる。ヒンジピン２１及び溝カム３１を含むカム機構１２（図１０参照）が冷蔵室扉３及び冷凍室４０の左右の両端部に左右対称に設けられる。
【００３３】
図３、図４、図５は冷凍室扉４の上方のヒンジアングル１０の取付け状態の詳細を示す正面図、上面図及び側面図である。また、図６、図７、図８はそれぞれ図４のＢ−Ｂ断面図、Ｃ−Ｃ断面図、Ｄ−Ｄ断面図を示している。ヒンジアングル１０は第１支持部材５０及び第２支持部材６０により支持される。
【００３４】
第１支持部材５０は側面断面がＬ字型に形成され、本体部２の前面に取り付けられる第１取付部５１と、第１取付部５１の下端から前方に突出する第１突出部５４とを有している。第２支持部材６０は側面断面がＬ字型に形成され、本体部２の前面に取り付けられる第２取付部６１と、第２取付部６１の下端から前方に突出する第２突出部６２とを有している。第２支持部材６０は第１突出部５４の左右方向の外側に取り付けられ、第１突出部５４とヒンジピン２１との間に配置される。これにより、第１突出部５４がヒンジピン２１から離れた位置に配置され、第２支持部材６０がヒンジピン２１に近い位置に配置される。
【００３５】
第１取付部５１には貫通孔５１ａが設けられ、貫通孔５１ａに挿通されるネジ５１ｂによって第１支持部材５０が本体部２にネジ止めされる。第１突出部５４にはネジ孔５４ａが設けられ、第１突出部５４の上面にヒンジアングル１０が設置される。ヒンジアングル１０にはネジ孔５４ａに対応する位置に貫通孔１０ａが設けられる。
【００３６】
貫通孔１０ａに上方から挿通されるネジ５４ｂによってヒンジアングル１０が第１支持部材５０にネジ止めされる。この時、貫通孔１０ａはネジ５４ｂの雄ネジ部に対して十分大きく形成される。これにより、ヒンジアングル１０と第１支持部材５０との相対位置を前後方向及び左右方向に調整可能になっている。また、第１突出部５４がヒンジピン２１から離れるため、ヒンジアングル１０の下面に設けられるカム機構１２（図９参照）との干渉が回避される。
【００３７】
第１取付部５１には本体部２の前面に沿って左右方向に延びる延設部５２が設けられる。延設部５２は第２取付部６１の背後を通って第２支持部材６０の外側に延び、延設部５２の端部には前方に突出する対向部５５が設けられる。これにより、第１取付部５１は平面視Ｌ字型に形成される。
【００３８】
また、第１取付部５１には第１突出部５４の両側方の下端から前方に突出する対向部５６、５７が設けられる。対向部５５、５６、５７はヒンジアングル１０の上面に近接して対向する。
【００３９】
第２取付部６１には貫通孔（不図示）が設けられ、貫通孔に挿通されるネジ６１ｂによって第２支持部材６０が本体部２にネジ止めされる。この時、ネジ６１ｂはヒンジアングル９に設けた貫通孔（不図示）を貫通し、第２支持部材６０及びヒンジアングル９を共締めする。これにより、第２取付部６１を前方に配置して第２突出部６２の突出量を小さくすることができ、第２支持部材６０の強度を向上することができる。
【００４０】
第２突出部６２にはネジ孔６２ａが設けられ、第２突出部６２の下面に接してヒンジアングル１０が配される。ヒンジアングル１０にはネジ孔６２ａに対応する位置に貫通孔１０ｂが設けられる。貫通孔１０ｂに下方から挿通されるネジ６２ｂによってヒンジアングル１０が第２支持部材６０にネジ止めされる。この時、貫通孔１０ｂはネジ６２ｂの雄ネジ部に対して十分大きく形成される。これにより、ヒンジアングル１０と第２支持部材６０との相対位置を前後方向及び左右方向に調整可能になっている。
【００４１】
図９は冷凍室扉４の上方のカム機構１２を示す上面図であり、冷凍室扉４が閉じられた状態を示している。また、図１０は図９のＡ−Ａ断面図を示している。冷凍室扉４の下方のカム機構１２も同様に構成され、冷蔵室扉３の上下のカム機構１２も同様に構成される。
【００４２】
左右の両端部に配されるカム機構１２は、ヒンジアングル１０に設けられるヒンジピン２１、リブ２４、第１係合突起２５（それぞれ図中、ハッチングで示す）と、冷凍室扉４に設けられる溝カム３１、ボス３４、第２係合突起３５とを備えている。
【００４３】
リブ２４は樹脂成形によってアーチ状に形成され、ヒンジピン２１の周囲に配される。リブ２４の内面にはヒンジピン２１と同心の円筒面から成る案内面２４ａが形成される。尚、リブ２４の案内面２４ａを多数のピンや突起部によって形成し、包絡面がヒンジピン２１と同心の円筒面になるように形成してもよい。即ち、案内面２４ａがヒンジピン２１と同心の円弧上に沿って形成されていればよい。
【００４４】
第１係合突起２５は左右のヒンジピン２１の間に配置される。第１係合突起２５には近い方のヒンジピン２１と同心の円筒面２５ａと遠い方のヒンジピン２１と同心の円筒面２５ｂとが対向して設けられる。
【００４５】
溝カム３１、ボス３４及び第２係合突起３５は一体に樹脂成形されたカム形成部材３０により形成される。カム形成部材３０は冷凍室扉４の上面カバー４ｃ上にネジ止めされる。
【００４６】
溝カム３１はヒンジピン２１が係合し、連続する第１溝部３２と第２溝部３３とを有している。第１溝部３２は本体部２側を開放し、枢支軸に垂直な面内で開放端が内側に向くように傾斜して形成される。第２溝部３３は第１溝部３２の開放端と反対の端部に連続し、第１溝部３２から外側に向かって屈曲して第１溝部３２の開放端から離れる方向に延びる。
【００４７】
ボス３４は第２溝部３３が凹設され、リブ２４の案内面２４ａに摺動する円筒面３４ａを有している。また、ボス３４の周面には後述する第１係止位置でリブ２４との干渉を回避する逃げ部３４ｂ（図１１参照）が設けられる。尚、リブ２４の案内面２４ａが円筒面から成る場合には、ボス３４の周面を多数のピンや突起部により形成してもよい。即ち、ボス３４の周面を形成する多数のピンや突起部の包絡面が円筒面となるように形成してもよい。
【００４８】
第２係合突起３５は第１係合突起２５の円筒面２５ａ、２５ｂとそれぞれ摺動する摺動面３５ａ、３５ｂを有している。カム形成部材３０には第１係合突起２５との干渉を回避する逃げ溝３６が第２係合突起３５の周囲に凹設される。
【００４９】
また、上面カバー４ｃにはカム形成部材３０の上方に配されるシャッター支持部４０が取り付けられる。シャッター支持部４０は溝カム３１及びボス３４が露出する開口部４０ａと、第２係合突起３５及び逃げ溝３６が露出する開口部４０ｂとが開口する。開口部４０ａを介してヒンジピン２１及びリブ２４がそれぞれ溝カム３１及びボス３４と係合する。開口部４０ｂを介して第１係合突起２５が第２係合突起３５と係合する。
【００５０】
シャッター支持部４０には開口部４０ａ、４０ｂをそれぞれ開閉する溝カムシャッター４１及び逃げ溝シャッター４３が取り付けられる。溝カムシャッター４１は軸部４１ａでシャッター支持部４０に軸支され、軸部に配された捻りバネ４２によって開口部４０ａを閉じる方向に付勢される。溝カムシャッター４１は開口部４０ａを閉じて溝カム３１を覆う位置と、開口部４０ａを開いて溝カム３１から退避する位置との間を回動する。
【００５１】
逃げ溝シャッター４３は軸部４３ａでシャッター支持部４０に軸支され、軸部に配された捻りバネ４４によって開口部４０ｂを閉じる方向に付勢される。逃げ溝シャッター４３は開口部４０ｂを閉じて逃げ溝３６を覆う位置と、開口部４０ｂを開いて逃げ溝３６から退避する位置との間を回動する。また、シャッター支持部４０には溝カムシャッター４１及び逃げ溝シャッター４３を閉じた際に係止するストッパー４７、４８が下方に突出して形成される。
【００５２】
前述の図２において、冷蔵室扉３の取付け時には、まず、下方のヒンジアングル９が開口部５ａの下方の前面にネジ止めされる。次に、下方のヒンジピン２１に冷蔵室扉３の下面の溝カム３１を係合し、冷蔵室扉３が所定の隙間を有してヒンジアングル９上に設置される。次に、冷蔵室扉３の上面の溝カム３１にヒンジピン２１を係合し、天井プレート７またはヒンジピン形成部材８を前後方向及び左右方向に位置調整する。そして、天井プレート７及びヒンジピン形成部材８がネジ止めされる。
【００５３】
この時、冷蔵室扉３とヒンジピン形成部材８の下面との隙間が所定値よりも小さい場合は、天井プレート７と本体部２の上面との間にスペーサが挟まれる。天井プレート７はスペーサを挟んで本体部２の上面上で位置調整してネジ止めされる。また、冷蔵室扉３とヒンジピン形成部材８との隙間が所定値よりも大きい場合は、カム形成部材３０と冷蔵室扉３の上面カバーとの間にスペーサを挟んでカム形成部材３０がネジ止めされる。これにより、上下のヒンジピン２１の距離と上下の溝カム３１の距離とを所定の範囲に維持し、円滑に冷蔵室扉３を案内することができる。
【００５４】
冷凍室扉４の取付け時にはまず、下方のヒンジアングル１１が開口部６ａの下方の前面にネジ止めされる。次に、第１支持部材５０の第１取付部５１がネジ５１ｂによって開口部６ａの上方の前面にネジ止めされる。次に、下方のヒンジピン２１に冷凍室扉４の下面の溝カム３１を係合し、冷凍室扉４が所定の隙間を有してヒンジアングル１１上に設置される。
【００５５】
次に、第１支持部材５０の第１突出部５４上にヒンジアングル１０が設置される。この時、第１突出部５４はヒンジピン２１から離れた位置に配され、カム機構１２との干渉が回避される。ヒンジアングル１０は冷凍室扉４の上面の溝カム３１にヒンジピン２１が係合するように前後方向及び左右方向に位置調整される。そして、ヒンジアングル１０がネジ５４ｂにより第１支持部材５０の第１突出部５４に上方からネジ止めされる。
【００５６】
この時、冷凍室扉４とヒンジアングル１０の下面との隙間が所定値よりも小さい場合は、ヒンジアングル１０と第１突出部５４の上面との間にスペーサ（不図示）が挟まれる。ヒンジアングル１０はスペーサを挟んで第１突出部５４上で位置調整してネジ止めされる。また、冷凍室扉４とヒンジアングル１０との隙間が所定値よりも大きい場合は、カム形成部材３０と冷凍室扉４の上面カバー４ｃとの間にスペーサを挟んでカム形成部材３０がネジ止めされる。
【００５７】
次に、一方のヒンジピン２１を枢支軸として冷蔵室扉４を開き、ヒンジアングル１０上に第２支持部材６０の第２突出部６２が設置される。第２支持部材６０は第２取付部６１を冷蔵室扉３のヒンジアングル９に当接してネジ６２ｂにより下方からヒンジアングル１０に仮止めされる。次に、第２取付部６１をネジ６１ｂによりネジ止めした後、ネジ６２ｂを本締めして第２突出部６２がヒンジアングル１０にネジ止めされる。次に、他方のヒンジピン２１を枢支軸として冷蔵室扉４を開き、第２支持部材６０が同様に取り付けられる。
【００５８】
これにより、上下のヒンジピン２１の距離と上下の溝カム３１の距離とを所定の範囲に維持し、円滑に冷凍室扉４を案内することができる。また、第２支持部材６０によってヒンジピン２１に近い位置でヒンジアングル１０が支持される。これにより、ヒンジピン２１の軸方向の移動を抑制することができる。尚、第２突出部６２に貫通孔を設けてヒンジアングル１０にネジ孔を設け、ネジ６２ｂにより上方から第２突出部６２とヒンジアングル１０とをネジ止めしてもよい。
【００５９】
次に、冷凍室扉４の開閉時の動作を説明する。冷蔵室扉３についても同様に動作する。冷凍室扉４を閉じた状態では両側のカム機構１２は図９に示す第１係止位置に配置される。即ち、左右のヒンジピン２１が第１溝部３２と第２溝部３３との連結部に配置される。また、ボス３４の逃げ部３４ｂ（図１１参照）がリブ２４の案内面２４ａに沿って配置される。
【００６０】
第１溝部３２は枢支軸に垂直な面内で前後方向に対して傾斜しているため、左右の第１溝部３２の開放端からヒンジピン２１が離脱することがない。従って、冷凍室扉４１の脱落を防止することができる。
【００６１】
この時、溝カムシャッター４１はリブ２４に当接し、捻りバネ４２の付勢力に抗してシャッター支持部４０の開口部４０ａを開く。これにより、ヒンジピン２１が溝カム３１に係合する。同様に、逃げ溝シャッター４３は第１係合突起２５に当接し、捻りバネ４４の付勢力に抗してシャッター支持部４０の開口部４０ｂを開く。これにより、第１係合突起２５が逃げ溝３６内に配される。
【００６２】
冷凍室扉４を右側から開くと、右側のヒンジピン２１は第１溝部３２の係合案内によって第１溝部３２の開放端に向かって相対移動する。第１溝部３２は開放端が冷凍室扉４の内側に向かって傾斜しており、第２溝部３３は第１溝部３２との連結部から外側に向かって延びている。
【００６３】
両方のヒンジピン２１の間隔は一定のため、右側のヒンジピン２１が開放端に向かって内側に相対移動すると、左側のヒンジピン２１は第１溝部３２から離れる方向に第２溝部３３内を外側に相対移動する。これにより、冷凍室扉４は回動しながら左側の軸側から右側の開放側にスライド移動する。
【００６４】
そして、図１１に示すように、左側のヒンジピン２１が第２溝部３３の閉じられた端部に到達し、カム機構１２が第２係止位置に配置される。この時、左側のボス３４の円筒面３４ａがリブ２４の案内面２４ａと摺動を開始する。これにより、ヒンジピン２１と第２溝部３３との係合により略前後方向への冷凍室扉４の移動が規制され、ボス３４とリブ２４との係合により略左右方向への冷凍室扉４の移動が規制される。従って、カム機構１２は第２係止位置で冷凍室扉４をスライド規制して回動自在に支持する。
【００６５】
また、右側の第１係止部材２５の円筒面２５ｂと第２係止部材３５の摺動面３５ｂとが摺動し、左側の第１係止部材２５の円筒面２５ａと第２係止部材３５の摺動面３５ａとが摺動する。これにより、冷凍室扉４をより安定して回動させることができる。
【００６６】
更に冷凍室扉４が開かれると、図１２に示すように、右側のヒンジピン２１と溝カム３１との係合が解除される。また、右側の第１係止部材２５と第２係止部材３５との係合が解除される。これにより、右側のカム機構１２の係合が解除される。冷凍室扉４は左側のヒンジピン２１を中心としてスライド規制されて回動する。
【００６７】
この時、右側の溝カムシャッター４１及び逃げ溝シャッター４３はそれぞれ捻りバネ４２、４４の付勢力によって開口部４０ａ、４０ｂを閉じ、ストッパー４７、４８により係止される。これにより、右側の溝カムシャッター４１により溝カム３１及びボス３４が覆われ、逃げ溝シャッター４３により第２係合突起３５及び逃げ溝３６が覆われる。
【００６８】
更に冷凍室扉４が開かれると、図１３に示すように、左側の第１係合突起２５と第２係合突起３５との係合が解除される。そして、第２溝部３３とヒンジピン２１との係合及びボス３４とリブ２４との係合によって冷凍室扉４が回動する。この時、左側の逃げ溝シャッター４３は捻りバネ４４の付勢力によって開口部４０ｂを閉じ、ストッパー４８により係止される。これにより、左側の逃げ溝シャッター４３により第２係合突起３５及び逃げ溝３６が覆われる。
【００６９】
冷凍室扉４を閉じる場合には左右のカム機構１２は上記と逆の動作が行われる。この時、溝カムシャッター４１はヒンジピン２１との当接により開き始めてリブ２４との当接により更に開かれ、溝カム３１から退避する。逃げ溝シャッター４３は第１係合突起２５に当接して開かれ、逃げ溝３６から退避する。
【００７０】
また、冷凍室扉４を左側から開閉すると、左右のカム機構１２は上記と左右対称に推移する。
【００７１】
本実施形態によると、第１支持部材５０の第１取付部５１が開口部６ａの上方の前面にネジ止めされ、第１取付部５１から前方に突出する第１突出部５４の上面に設置したヒンジアングル１０を上方からネジ止めする。これにより、ヒンジアングル１０を第１突出部５４上で左右方向及び前後方向に移動させて容易に位置調整して固定することができる。この時、第１突出部５４とヒンジアングル１０との間にスペーサを挟むことでヒンジアングル１０の下面と冷凍室扉４の上面との隙間を容易に広げて位置調整することができる。従って、扉開閉機構の製造工数を削減することができる。
【００７２】
また、第１突出部５４の外側に配した第２支持部材６０の第２突出部６２の下面にヒンジアングル１０が当接して第２支持部材６０及びヒンジアングル１０がネジ止めされるので、第２支持部材６０を容易に取り付けできるとともに、ヒンジピン２１近傍でヒンジアングル１０を補強することができる。従って、溝カム３１に異物が侵入した場合等のヒンジピン２１の軸方向の移動を抑制することができ、冷凍室扉４の脱落を防止することができる。
【００７３】
加えて、上面にヒンジアングル１０が当接する第１突出部５４がヒンジピン２１から離れ、第２突出部６２の下面にヒンジアングル１０が当接する。このため、第１突出部５４とカム機構１２との干渉を防止するとともに第２支持部材６０とカム機構１２との干渉を防止することができる。
【００７４】
また、溝カム３１が形成されるカム形成部材３０を冷凍室扉４の上面にネジ止めしたので、カム形成部材３０と冷凍室扉４の上面との間にスペーサを挟んでヒンジアングル１０の下面と冷凍室扉４の上面との隙間を容易に狭めることができる。
【００７５】
また、冷凍室扉４の上面とカム形成部材３０との間にスペーサを配して、ヒンジアングル１０の下面と冷凍室扉４の上面との隙間を適正にすることができる。
【００７６】
また、第１突出部５４とヒンジアングル１０との間にスペーサを配して、ヒンジアングル１０の下面と冷凍室扉４の上面との隙間を適正にすることができる。
【００７７】
また、第１取付部５１が第２取付部６１の背後を通って第２支持部材６０の外側に延びる延設部５２と、延接部５２の端部から前方に突出してヒンジアングル１０に近接して対向する対向部５５とを有した平面視Ｌ字型に形成されるので、対向部５５の上下方向の厚みが大きく形成される。これにより、溝カム３１に異物が侵入した場合等のヒンジピン２１の軸方向の移動をより確実に防止することができる。
【００７８】
また、冷蔵室扉３及び冷蔵室扉４を開いた際に溝カム３１を覆うとともに冷蔵室扉３及び冷蔵室扉４を閉じた際に溝カム３１から退避する溝カムシャッター４１を設けたので、冷蔵室扉３及び冷蔵室扉４を開いた際に溝カム３１への異物の侵入を防止することができる。従って、扉を閉じることができない不具合を回避することができ、扉開閉機構を備えた冷蔵庫１の使用性を向上することができる。また、扉を開いた際に溝カム３１が視認されないため、冷蔵庫１の美感を向上することができる。
【００７９】
特に、冷蔵室扉３や冷凍室扉４の上面に溝カム３１が設けられた場合には溝カム３１に異物が侵入しやすくなるとともに視認されやすくなる。従って、ヒンジピン２１を本体部２（機器本体）に設けて溝カム３１及び溝カムシャッター４１を扉の上面に設けた場合に冷蔵庫１の使用性及び美感をより向上することができる。
【００８０】
本実施形態において、一対のカム機構１２を有する扉開閉機構を備えた冷蔵庫１について説明しているが、同様の扉開閉機構を他の機器に設けてもよい。
【産業上の利用可能性】
【００８１】
本発明によると、扉を二方向から択一的に開閉する両開きの扉開閉機構を備えた冷蔵庫等の機器に利用することができる。
【符号の説明】
【００８２】
１    冷蔵庫
２    本体部
３    冷蔵室扉
４    冷凍室扉
５    冷蔵室
６    冷凍室
７    天井プレート
８    ヒンジピン形成部材
９、１０、１１  ヒンジアングル
１２    カム機構
２１    ヒンジピン
２４    リブ
２４ａ  案内面
２５    第１係合突起
３０    カム形成部材
３１    溝カム
３２    第１溝部
３３    第２溝部
３４    ボス
３４ａ  円筒面
３４ｂ  逃げ部
３５    第２係合突起
３６    逃げ溝
４０    シャッター支持部
４１    溝カムシャッター
４２、４４  捻りバネ
４３    逃げ溝シャッター
４７、４８  ストッパ
５０    第１支持部材
５１    第１取付部
５２    延設部
５４    第１突出部
５５、５６、５７  対向部
６０    第２支持部材
６１    第２取付部
６２    第２突出部
【要約】
【課題】製造工数を削減できる扉開閉機構を提供する。
【解決手段】機器本体２の開口部６ａを覆う扉４を、機器本体２及び扉４の左右端に対称に配されたカム機構１２によって左右から択一的に開閉する両開きの扉開閉機構において、扉４の枢支軸を形成する左右のヒンジピン２１を一体に保持するヒンジアングル１０と、開口部６ａの上方にネジ止めされる第１取付部５１と第１取付部５１から前方に突出する第１突出部５４とを有して第１突出部５４の上面にヒンジアングル１０を上方からネジ止めする第１支持部材５０と、第１突出部５４の外側に配され、開口部６ａの上方のネジ止めされる第２取付部６１と第２取付部６１から前方に突出する第２突出部６２とを有して第２突出部６４の下面に当接するヒンジアングル１０を第２突出部６２にネジ止めする第２支持部材６０と、ヒンジピン２１に係合して扉４を案内する溝カム３１とを備えた。
【選択図】図３【図１】
0004833349.tif 000002
【図２】
0004833349.tif 000003
【図３】
0004833349.tif 000004
【図４】
0004833349.tif 000005
【図５】
0004833349.tif 000006
【図６】
0004833349.tif 000007
【図７】
0004833349.tif 000008
【図８】
0004833349.tif 000009
【図９】
0004833349.tif 000010
【図１０】
0004833349.tif 000011
【図１１】
0004833349.tif 000012
【図１２】
0004833349.tif 000013
【図１３】
0004833349.tif 000014